(57)【要約】      （修正有）【課題】見開きページを有するブック型デジタルコンテンツを、読み易い形で、なおかつ紙面で提供される本と同じような形で読み進めることが可能なデジタルコンテンツ表示装置を提供する。【解決手段】デジタルコンテンツ表示装置において、隣接ページ切替操作がなされて、現在の閲覧ページが隣接ページに切り替わる際に、見開きページにおいて画面表示対象となる画面表示領域を、見開きの第一ページと第二ページのうち切替前の閲覧ページ側のページのみが全体表示され、他方のページが全体表示されない第一表示領域から、当該他方のページのみが全体表示され、切替前の閲覧ページ側のページが全体表示されない第二表示領域に移動する形で、見開きページのページ画像をスクロール表示するとともに、ページめくりを伴う場合には、ページめくりアニメーションが実施され、スクロールする画面表示領域内にめくり動作中のページが含まれ、画面表示される。【選択図】図１
2010277456.tif 000002
【特許請求の範囲】
【請求項１】
見開きの第一ページと第二ページからなる見開きページを複数有してなるブック型デジタルコンテンツを画面表示するとともに、当該画面表示が、前記見開きの第一ページと第二ページのうち閲覧対象とされた一方の閲覧ページのみが全体表示され、他方のページが全体表示されない形でなされるデジタルコンテンツ表示装置であって、
現在の前記閲覧ページの隣接ページを新たな前記閲覧ページとして表示させる隣接ページ切替操作が行われる隣接ページ切替操作手段と、
前記隣接ページ切替操作がなされ、現在の前記閲覧ページが当該閲覧ページの隣接ページに切り替わる際に、前記見開きページにおいて画面表示対象となる画面表示領域を、見開きの第一ページと第二ページのうち切替前の前記閲覧ページ側のページのみが全体表示されて他方のページが全体表示されない第一表示領域から、当該他方のページのみが全体表示されて切替前の前記閲覧ページ側のページが全体表示されない第二表示領域に移動する形で、前記見開きページのページ画像をスクロール表示するページ切替表示手段と、
を備えることを特徴とするデジタルコンテンツ表示装置。
【請求項２】
前記隣接ページ切替操作には、前記閲覧ページを、当該閲覧ページの裏面をなす裏ページに切り替えるページめくり操作が含まれており、
前記ページ切替表示手段は、前記隣接ページ切替操作として当該ページめくり操作がなされた場合には、前記スクロール表示により移動する前記画面表示領域内において、ページめくりの対象となる前記閲覧ページのページめくり動作過程の少なくとも一部が画面表示されるようになっている請求項１記載のデジタルコンテンツ表示装置。
【請求項３】
前記ページ切替表示手段は、前記ページめくり操作がなされた際に、ページめくりの対象となる前記閲覧ページのページめくり動作をアニメーション表示するとともに、前記スクロール表示のために移動する前記画面表示領域内には、当該アニメーションにより表現されるページめくり動作の少なくとも一部が含まれるようになっている請求項２記載のデジタルコンテンツ表示装置。
【請求項４】
前記ページめくり動作のアニメーションは、ページめくりの対象となる前記閲覧ページの前記ページめくり動作が進行するに伴い、当該閲覧ページの裏面ページに対する見開きの逆側のページ、さらには当該裏面ページが、当該閲覧ページの位置に応じて順次出現する形で表現されるものである請求項３記載のデジタルコンテンツ表示装置。
【請求項５】
前記ページめくり動作のアニメーションのコマ数と、前記スクロール表示に使用するコマ数とが同一に定められている請求項３又は請求項４に記載のデジタルコンテンツ表示装置。
【請求項６】
前記ページ切替表示手段は、前記スクロール表示による前記画面表示領域の移動と、アニメーション表示される前記ページめくり動作とを連動する形で画面表示するものである請求項３ないし請求項５のいずれか１項に記載のデジタルコンテンツ表示装置。
【請求項７】
前記ページ切替表示手段は、前記ページめくり動作のアニメーションにおいてめくられる形で動くページを、前記スクロール表示により移動する前記画面表示領域内に常に含む形で画面表示するものである請求項６記載のデジタルコンテンツ表示装置。
【請求項８】
前記ページ切替表示手段は、前記スクロール表示による前記画面表示領域の移動が、前記ページめくり動作のアニメーションにおいてめくられる形で動くページに対し先行する形で前記第二表示位置に移動するようになっている請求項６又は請求項７に記載のデジタルコンテンツ表示装置。
【請求項９】
前記ページ切替表示手段は、前記ページめくり操作がなされ、前記閲覧ページのページめくり動作をアニメーション表示する形で前記スクロール表示を実行している際に、当該ページめくり操作とページ切替方向が一致する隣接ページ切替操作が新たになされた場合には、当該閲覧ページの前記ページめくり動作のアニメーションを継続表示する一方で、当該スクロール表示のスクロール方向をこれまでとは逆向きに切り替えるものである請求項３ないし請求項８のいずれか１項に記載のデジタルコンテンツ表示装置。
【請求項１０】
ユーザーにより携帯可能な携帯型表示装置として構成されてなる請求項１ないし請求項９のいずれか１項に記載のデジタルコンテンツ表示装置。
【請求項１１】
前記画面が携帯電話機の画面である請求項１０記載のデジタルコンテンツ表示装置。
【発明の詳細な説明】
【技術分野】
【０００１】
本発明は、ブック型のデジタルコンテンツを表示するためのコンテンツ表示装置に関する。
【背景技術】
【０００２】
【特許文献１】特開２００５−２０４３３８号公報
【０００３】
近年、携帯電話機などの小型機器において、ディスプレイを有するものが多数存在する。さらに、そのディスプレイに表示する形で供されるデジタルコンテンツも多くのものが既に有り、多くのユーザーが利用している。こうしたコンテンツの中には、紙面にて提供される本を、デジタルコンテンツとして提供するものもある。例えば、特許文献１には、漫画をデジタルコンテンツとして画面表示する技術が開示されている。
【発明の概要】
【発明が解決しようとする課題】
【０００４】
ところが、こうした小型機器においては、当然ディスプレイサイズも小さくならざるを得ず、紙面で提供される本と同じサイズで画面表示を行うことはできない。このため、当然、表示内容を縮小する必要がある。しかしながら、本の見開きページ全体を縮小して表示すれば、文字や画像が小さくなりすぎて読み辛くなる。特に、携帯電話機等の画面は極めて小さい画面であり、これに見開きページの画面を表示したのでは、文字を読み取ることが不可能となる。
【０００５】
他方、表示内容を分解して個々を拡大表示する等といった表示方法もあり得る。しかしながら、この方法による表示は、もはや本という態様を有していないため、本を読むという意識からかけ離れたものとなってしまう。本に慣れたユーザーにとって、本からかけ離れた態様のデジタルコンテンツは、扱い方が分かりにくく、なかなか馴染むことができない。
【０００６】
本発明の課題は、見開きページを有するブック型デジタルコンテンツを、小さい画面であっても読み易い形で、なおかつ紙面で提供される本と同じような形で読み進めることが可能なデジタルコンテンツ表示装置を提供することにある。
【課題を解決するための手段及び発明の効果】
【０００７】
上記課題を解決するために、本発明のデジタルコンテンツ表示装置は、
見開きの第一ページと第二ページからなる見開きページを複数有してなるブック型デジタルコンテンツを画面表示するとともに、当該画面表示が、前記見開きの第一ページと第二ページのうち閲覧対象とされた一方の閲覧ページのみが全体表示され、他方のページが全体表示されない形でなされるデジタルコンテンツ表示装置であって、
現在の前記閲覧ページの隣接ページを新たな前記閲覧ページとして表示させる隣接ページ切替操作が行われる隣接ページ切替操作手段と、
前記隣接ページ切替操作がなされ、現在の前記閲覧ページが当該閲覧ページの隣接ページに切り替わる際に、前記見開きページにおいて画面表示対象となる画面表示領域を、見開きの第一ページと第二ページのうち切替前の前記閲覧ページ側のページのみが全体表示されて他方のページが全体表示されない第一表示領域から、当該他方のページのみが全体表示されて切替前の前記閲覧ページ側のページが全体表示されない第二表示領域に移動する形で、前記見開きページのページ画像をスクロール表示するページ切替表示手段と、
を備えることを特徴とする。
【０００８】
上記本発明の構成によれば、画面全体に見開きの第一ページと第二ページのうち一方のページの全体が表示されるから、見開きページ全体が画面表示される場合に比べて、表示内容が見やすい。また、隣接ページ切替操作がなされると、見開きの他方のページ側にスクロール表示がなされるから、ページ移動をユーザーが認識でき、紙面の書籍を読む場合と同様のスタイルで、ページを読み進めていくことができる。
【０００９】
また、本発明の隣接ページ切替操作には、前記閲覧ページを、当該閲覧ページの裏面をなす裏ページに切り替えるページめくり操作を含むことができる。この場合、ページ切替表示手段は、当該ページめくり操作がなされた場合には、スクロール表示により移動する画面表示領域内において、前記閲覧ページのページめくり動作過程の少なくとも一部を表示するものとして構成できる。本発明によれば、同一の見開きページ内でのページ移動は、画面表示領域を右から左に、あるいは左から右に移動させるような単純なスクロール表示で行うことができるが、上記の構成によるとさらに、ページをめくって裏面のページを表示する際に、上記のような画面表示領域のスクロールを実施しつつ、そのスクロール移動中の画面表示領域内にページがめくられる動作が表示されるから、ページがめくられたことをユーザーが認識でき、紙面の書籍を読む場合と同様のスタイルで、ページを読み進めていくことができる。
【００１０】
本発明のページ切替表示手段は、前記ページめくり操作がなされた際に、ページめくりの対象となる閲覧ページがめくられるページめくり動作をアニメーション表示すると共に、当該見開きページ領域上をスクロールする画面表示領域内において、当該アニメーションにより表現されるページめくり動作の少なくとも一部が含まれ、画面表示されるよう構成できる。アニメーション表示により、ページめくり動作がよりリアルに認識できるから、紙面の書籍を読む場合と同様のスタイルで、ページを読み進めていくことがより容易になる。
【００１１】
このページめくり動作のアニメーションは、ページめくり対象となる閲覧ページのページめくり動作の進行に伴い、当該閲覧ページの裏面ページに対する見開きの逆側のページ、さらには当該裏面ページが、当該閲覧ページの位置に応じて順次出現する形で表現するものとできる。具体的にいえば、ページめくり動作の過程で、次に閲覧対象となる見開きページの第一ページと第二ページのうち、めくられているページに重ならない領域が、ページめくり動作の進行に伴い順次表示されていくアニメーションとなる。これにより、ページめくり動作の過程で、次の見開きページが必要に応じて順次出現するので、ページめくり動作をよりリアルに表現できる。
【００１２】
また、このページめくり動作のアニメーションのコマ数と、前記スクロール表示に使用するコマ数とを同一に定めることも可能である。この構成によると、スクロール移動とアニメーション表示の一体感が増し、スムーズな表現が可能となる。
【００１３】
また、本発明のページ切替表示手段は、スクロール表示による画面表示領域の移動と、アニメーション表示される前記ページめくり動作とを連動する形で表示するものとできる。つまり、この構成によると、スクロール移動とアニメーション表示の一体感が増し、スクロール移動する画面表示領域内においてページめくり動作をよりリアルに表現できる。例えば、ページ切替表示手段は、ページめくり動作のアニメーションにおいてめくられる形で表現されるページが当該画面表示領域内に常に含まれるよう表示するように構成することができる。これにより、ページめくり動作をより明確に認識でき、ページめくりがあったことを確実に把握できる。さらには、ページ切替表示手段は、スクロール表示による画面表示領域の移動が、ページめくり動作のアニメーションにおいてめくられる形で動くページに対し先行する形で前記第二表示位置に移動するように構成することができる。これにより、移動先のページがいち早く閲覧可能となる。
【００１４】
ところで、本発明のページ切替表示手段は、前記ページめくり操作がなされ、閲覧ページのページめくり動作をアニメーション表示する形でスクロール表示を実行している際に、当該ページめくり操作とページ切替方向が一致する隣接ページ切替操作が新たになされた場合には、当該閲覧ページのページめくり動作のアニメーションを継続表示する一方で、前記スクロール表示のスクロール方向をこれまでとは逆向きに切り替えるよう構成することができる。ページめくり操作がなされると、現在の閲覧ページの裏面ページを見るべく、ページめくり動作とスクロール表示が必要となる。ところが、これらページめくり動作とスクロール表示の途中で、先になされたページめくり操作と同じページ切替方向にさらにページ切り替える操作がされた場合には、上記の裏面ページの見開き逆側のページが閲覧対象となる。このため、ページめくり動作はこのまま継続する必要があるものの、画面表示領域を第二表示位置に移動するスクロール表示は、再びもとの第一表示位置に戻す必要がある。このため、この追加のページ切り替え操作がなされた場合には、画面表示領域が第二表示位置に未到達であったとしても、操作がなされた段階でスクロール方向を反転させて、画面表示領域を第一表示位置に向かわせることで、ページ移動を迅速に行うことができる。特に、同一方向に次々にページをめくりたい場合に有効であり、一枚ページをめくっては画面表示領域を逆側に移動するようなページ移動が一ページずつでないとできない場合に比べ、ページ移動速度が格段に速くなる。
【００１５】
また、本発明においては、閲覧ページ表示手段により画面内に全体表示された閲覧ページを拡大表示する拡大表示手段を備えて構成することができる。さらにこの場合、閲覧ページの拡大表示状態において、画面表示されている表示領域を移動する拡大表示領域移動手段を備えて構成することもできる。
【００１６】
また、上記拡大表示手段を備える場合、ページ切替表示手段は、閲覧ページの拡大表示状態において、隣接ページ切替操作がなされた場合に、現在の前記閲覧ページが当該閲覧ページの隣接ページに切り替わるに際して、拡大表示状態にある該閲覧ページを少なくとも当該閲覧ページ全体が表示されるように縮小表示した上で（例えば拡大前の通常表示に戻した上で）、前記スクロール表示（画面表示領域を第一表示領域から第二表示領域に移動する）を開始するように構成することもできる。このとき、第二表示領域に移動した後に、直前に拡大されていた画面表示領域における拡大領域と同一の領域を拡大するようにしてもよい。閲覧ページの拡大表示状態において、拡大表示されている閲覧ページを含む見開きページとは異なるページへのページ切り替えを禁止する表示制限手段を備えて構成してもよい。
【００１７】
本発明のデジタルコンテンツ表示装置は、ユーザーが携帯可能な携帯型表示装置とすることができる。さらに、その画面は左右幅よりも上下幅の方が長い縦長画面とすることができる。本発明のような見開きページの見方は、画面の小さい表示装置に対し有効であり、特に、見開きの両ページを表示する幅がないような縦長画面に対し有効となる。これにより、小型のディスプレイしか搭載できないような携帯型の機器において、上記ブック型のデジタルコンテンツを閲覧することが可能となる。
【００１８】
また、本発明のデジタルコンテンツ表示装置は、携帯電話機とすることができ、これにより、携帯電話機により上記ブック型のデジタルコンテンツを閲覧することが可能となる。
【００１９】
さらに、本発明は、上記した各手段をコンピューターに実行させるソフトウェア（プログラム）とすることもできる。
【図面の簡単な説明】
【００２０】
【図１】本発明のデジタルコンテンツ表示装置の一例を示すブロック図。
【図２】デジタルコンテンツ表示装置の一例である携帯電話機の外観図。
【図３】図２のデジタルコンテンツ表示装置の操作部の一例を示す図。
【図４】図１のデジタルコンテンツ表示装置におけるブック型デジタルコンテンツの表示形態を示す図。
【図５】ブック型デジタルコンテンツの表示処理の流れを示すフローチャート。
【図６】画像表示領域のスクロールを説明する第一の図。
【図７】画像表示領域のスクロールを説明する第二の図。
【図８】ページめくりを伴う画像表示領域のスクロールを説明する第一の図。
【図９】ページめくりを伴う画像表示領域のスクロールを説明する第二の図。
【図１０】隣接ページ切替操作がなされた際のブック型デジタルコンテンツの表示処理であって、図５とは異なる処理の流れを示すフローチャート。
【図１１】同一方向への二連続の隣接ページ切替操作がなされたときの、ページめくりを伴う画像表示領域のスクロールを説明する図。
【図１２】隣接ページ切替操作がなされた際のブック型デジタルコンテンツの表示処理であって、図５及び図１０とは異なる処理の流れを示すフローチャート。
【図１３】同一方向への三連続の隣接ページ切替操作がなされたときの、ページめくりを伴う画像表示領域のスクロールを説明する図。
【図１４】隣接ページ切替操作がなされた後、それとは逆方向の隣接ページ切替操作がなされたときの、ページめくりを伴う画像表示領域のスクロールを説明する図。
【図１５】ブック型デジタルコンテンツとして漫画を適用した図。
【図１６】閲覧ページの拡大表示処理の流れを示すフローチャート図。
【図１７】閲覧ページの拡大表示を説明する図。
【図１８】拡大表示の際の表示制限を説明する図。
【図１９】拡大表示の際のページ切り替え表示を示す第一例。
【図２０】拡大表示の際のページ切り替え表示を示す第二例。
【発明を実施するための最良の形態】
【００２１】
以下、本発明の一実施形態を、図面を参照して説明する。
【００２２】
図１は、本実施形態のデジタルコンテンツ表示装置１の全体構成を示すブロック図である。本実施形態のデジタルコンテンツ表示装置１は、携帯電話機として構成されており、無線回線によりアンテナ部１４Ａを介して外部の基地局（図示なし）との通信を行う無線部１４と、無線部１４へ送信する通信情報を生成するとともに、無線部１４にて受信した通信情報が入力される当該携帯電話機１の全体の制御を行う制御部１０と、制御部１０の動作に使用される各種プログラムやデータ等を記憶する記憶部１３と、制御部１０の音声情報（音声や音楽等）を入出力するマイク／スピーカ等からなる音声入出力部１２と、制御部１０からの出力情報を表示する表示部１１と、制御部１０へ情報入力を行う操作部１５とを備えて構成されている。カメラモジュール等を備える構成であってもよい。
【００２３】
本実施形態のデジタルコンテンツ表示装置１は、図２に示すような周知の携帯電話機を構成しており、表示部１１の画面１１Ａや、操作部１５が配置されている。操作部１５は、図３に示すようなテンキー入力部１５Ｔを有して構成されている。なお、携帯電話機としての形状は、図２に示すものに限られるものではないし、表示画面さえ搭載するものであれば、携帯電話以外の手のひらサイズの小型機器でもよい。
【００２４】
制御部１０は、ＣＰＵを備えて構成されており、記憶部１３に記憶・保持されているプログラムを、同じく記憶部１３に記憶・保持されている画像データ、文字データ、音源データ等の各種データを用いる形で実行することにより動作するものであって、音声による電話機能としての携帯電話手段や、インターネットへのアクセス機能としてのインターネットアクセス手段、電子メールの送受信機能としての電子メール手段といった周知の携帯電話機能を実現する制御主体である。
【００２５】
表示部１１は、画像、文字を再生するためのディスプレイを有して構成される。本実施形態においてはカラー表示装置であり、液晶ディスプレイ，プラズマディスプレイ，ＣＲＴ（Cathode Ray Tube）等とすることができ、それらのいずれを用いてもよい。ここでは、周知の液晶ディスプレイが用いられている。
【００２６】
なお、本発明において、表示部１１の画面の大きさはどのようなものでもよいが、人間の手よりも小さい程度の画面サイズのものに好適である。さらに左右幅よりも上下幅の方が長い縦長画面のものに好適である。ここでは、受話部１２ａから送話部１２ｂまでを結ぶ上下方向が、左右方向よりも長い縦長画面とすることができる。
【００２７】
操作部１５は、上述の携帯電話機能を利用するための各種操作部である。操作部１５の中にはテンキー入力部１５Ｔが含まれており、電話機能を利用するための電話番号入力手段や、電子メールの送受信機能を利用するための文字入力機能等として機能する。つまり、テンキー入力部１５Ｔには、実行中の機能に応じて入力された際に実施される制御内容が異なるよう定められている。本実施形態においては上記に加えて、ブック型デジタルコンテンツを閲覧する機能を有しており、当該機能の実行中においては、図３に示すように、テンキー入力部１５Ｔの左側に位置する「４」が左側にページを切り替えるページ切替操作部、テンキー入力部１５Ｔの右側に位置する「６」が右側にページを切り替えるページ切替操作部として機能するようになっている。さらに、テンキー入力部１５Ｔの中央に位置する「５」が表示中の画像を拡大表示するための拡大操作部として機能するようになっており、この拡大状態においては、「４」が拡大ページにおいて表示領域を左にスクロールする左スクロール操作部、「６」が拡大ページにおいて表示領域を右にスクロールする右スクロール操作部、テンキー入力部１５Ｔの上中央に位置する「２」が拡大ページにおいて表示領域を上にスクロールする上スクロール操作部、テンキー入力部１５Ｔの下側に位置する「８」が拡大ページにおいて表示領域を下にスクロールする下スクロール操作部、その下に位置する「０」が拡大表示を解除してもとのサイズの画像表示を行う拡大解除操作部とされている。
【００２８】
記憶部１３には、本実施形態におけるデジタルコンテンツを画面表示するためのコンテンツデータと、当該コンテンツデータに基づいて、当該デジタルコンテンツを表示部１１にて画面表示可能とするアプリケーションが記憶・保持されている。コンテンツデータは、無線部１４による通信にて、外部サーバーから受信するものであってもよいし、記憶メディアを介して記憶部に記憶されたものであってもよい。接続されている記憶メディアに記憶されているものでもよい。
【００２９】
本実施形態において表示部１１にて画面表示されるデジタルコンテンツは、図４の上図に示すように、見開きの第一ページ２０Ａと第二ページ２０Ｂからなる複数の見開きページ２０を有してなるブック型デジタルコンテンツであることが前提であり、上記アプリケーションの実行により画面表示される。その表示形態は以下のように定められている。
【００３０】
即ち、本実施形態におけるブック型デジタルコンテンツの表示は、見開きの第一ページ２０Ａと第二ページ２０Ｂのうち閲覧対象とされた閲覧ページのみが全体表示され、他方のページが全体表示されない形での画面表示が前提となる。つまり、ページ閲覧用の表示状態において、見開きページ２０の全体が表示されることはなく、見開きの一方のページのみが全体表示されることが前提となる。
【００３１】
図４は、本実施形態におけるデジタルコンテンツの表示形態を説明する図である。なお、ここでは見開きページ２０として符号２１ｂ，２２ａが付されたページの表示状態が例示されているが、他のページの表示もこれと同様である。
【００３２】
この見開きページ２０のページ画像（画像データ）上には、見開きの第一ページ２０Ａと第二ページ２０Ｂのうち閲覧対象とされた閲覧ページが画面内に全体表示され、なおかつ他方のページが画面内に全体表示されないように、画面表示される画面表示領域１１Ｂが設定され、見開きページ２０のページ画像（画像データ）のうち当該画面表示領域１１Ｂ内に含まれる画像（画像データ）のみが画面１１Ａに表示される。図４は、これを視覚的に表現した図であって、複数の見開きページ２０がそれぞれ同一領域にて切り替えられる形で描画される見開きページ領域１１Ｄが設定されている。その見開きページ領域１１Ｄ上において、見開きの第一ページ２０Ａと第二ページ２０Ｂのいずれかに閲覧対象とされた閲覧ページを有した見開きページ２０を描画して、その見開きページ領域１１Ｄ上に、画面表示される画面表示領域１１Ｂとして、当該閲覧ページが画面内に全体表示され、なおかつ他方のページが全体表示されない領域を設定する。そして、このような形で設定された画面表示領域１１Ｂ内の見開きページ２０のページ画像が、表示部１１の画面１１Ａにて表示されるのである。
【００３３】
画面表示領域１１Ｂは、ページ移動中を除くページ閲覧状態において、図４（a）に示すように、右ページ２０Ｂのみを全体表示して、左ページ２０Ａを全体表示しない右ページ表示領域、及び左ページを２０Ａのみを全体表示して、右ページ２０Ｂを全体表示しない左ページ表示領域のうちのいずれかに設定される。本実施形態では、これら右ページ表示領域及び左ページ表示領域はいずれも、表示される見開きページ２０上における設定位置が予め決められており、各見開きページにて同じ領域に設定される。また、本実施形態におけるこれら右ページ表示領域及び左ページ表示領域はいずれも、見開きページ２０上における閲覧ページだけでなく、その見開き逆側のページの一部（見開き逆側のページにおける当該閲覧ページ側の一部）も表示されるようになっている。
【００３４】
なお、本実施形態の見開きページ２０は、左右の見開きページとされているが、上下の見開きページやそれ以外であってもよい。また、本実施形態のデジタルコンテンツは、ページ番号の連続する複数のページを有して構成されている。つまり、各々のページが連番で付されたページ番号により特定される構成を有しており、見開きページ２０であれば、その第一ページ２０Ａと第二ページ２０Ｂの双方に連続するページ番号が付番されている。画面表示用のページ画像データは、見開き両ページが対応付けられた形で、それぞれが別の画像データとして記憶部１３に記憶されている。
【００３５】
ここで、閲覧ページの表示処理について、図５を用いて具体的に説明する。
【００３６】
まずは、本実施形態のブック型デジタルコンテンツを閲覧するべく、ＣＰＵが対応するアプリケーションを起動する。これに伴いＣＰＵは、Ｓ１にて、当該コンテンツにおいて初期表示用に予め定められたページ（初期ページ）を表示する。具体的には、初期ページのページ番号を記憶部１３に予め記憶しておき、これにより初期ページを閲覧ページとして特定し、さらにこれを含む見開きページを特定する。その上で、特定された見開きページの画像データに基づく画面表示を実施する。ただし、見開きページの画像データには、閲覧ページとして特定された初期ページが全体表示されるよう画面表示領域１１Ｂが設定され、当該領域１１Ｂ内のみが画面表示されるようになっている（閲覧ページ表示手段）。なお、ここでは、初期ページとして、ブック型デジタルコンテンツのトップページ、あるいは表紙を定めるものとする。また、前回閉じたときに表示されているページを記憶部１３に記憶しておき、これに基づいてこのページを初期ページとして表示するようにしてもよい。ただし、表紙などの片面ページである場合には、その片面ページのみが全体表示される。
【００３７】
Ｓ２では、ＣＰＵがページ移動操作の有無を判定する。なお、ページ移動操作には、各種の操作を設定可能である。本実施形態においては、現在の閲覧ページの隣接ページを、新たな閲覧ページとして表示させる隣接ページ切替操作が可能とされている。ここでは、テンキーの「４」が１ページ戻り操作部、「６」がページ送り操作部として定められており、これらがページ切替操作部（隣接ページ切替操作手段）をなしている。つまり、本実施形態の隣接ページ切替操作部には、ページめくり方向（ここでは左右方向）に対応するテンキーが選択されており、操作部と表示されるページめくり動作に対応関係が設けられている。
【００３８】
なお、テンキーから直接ページ番号を入力して、入力したページ番号のページに移動する操作や、先頭ページや最終ページにジャンプする操作等、他のページ移動操作が可能とされていてもよい。ページ移動操作がなされた場合にはＳ３に進み、なされていなければＳ８に進む。
【００３９】
Ｓ３では、ＣＰＵがページ移動操作に基づいて、次に表示することが指定されたページを次の閲覧ページとして特定し、さらに、当該ページを含む見開きページを特定する。ここでは、ページ移動操作がなされるに伴い、ＣＰＵが次に閲覧ページとすべきページのページ番号を特定し、さらに特定されたページ番号に基づいて、当該ページ番号のページを含む見開きページも特定する。
【００４０】
続くＳ４では、ＣＰＵが、現在の閲覧ページから次の閲覧ページへと表示を切り替えるに際してページめくりを必要とするか否かを判定する。ここでは、ページ移動操作前の見開きページと、ページ移動操作により特定された次の閲覧ページとすべきページを含む見開きページとが同じ見開きページであるか否かを判定する。同じである場合には、ページめくりが必要と判定されてＳ５に進み、異なると判定された場合には、ページめくりが不要と判定されてＳ９に進む。
【００４１】
Ｓ５では、新たに特定された見開きページのページ画像データ（見開き両ページのそれぞれのページ画像データ）を読み出す。
【００４２】
Ｓ６では、ＣＰＵが、ページめくり方向を特定し、特定された方向へのページめくり動作のアニメーション表示を表示部１１にて実施させる。さらに、ＣＰＵは、現在の閲覧ページが見開きのどちらのページであるかを特定するとともに、上記アニメーション表示と同時に、表示部１１に対し、見開きページデータ上に設定される画面表示領域１１Ｂを、現在の閲覧ページが全体表示されている第一表示領域（図８及び図９の（ａ））から、当該閲覧ページに対する見開きの逆側のページに向けて移動し、当該逆側のページ領域が全体表示される第二表示位置（図８及び図９の（ｅ）〜（ｇ））に移動するスクロール表示を行う。つまり、現在の見開きページと次の見開きページとを用いてページめくり動作のアニメーションをデータ上で実施する一方で、当該アニメーションの各コマにおいて、スクロールする画像表示領域１１Ｂをアニメーション画像のデータ上で特定し、当該領域１１Ｂ内のアニメーション画像のみを画面１１Ａにて表示する（ページ切替表示手段）。
【００４３】
Ｓ６にて実施されるページめくり動作のアニメーションは、右ページめくりか左ページめくりであるかを判定した上で、判定されたページめくり方向に対応するアニメーション表示が実施される。これらページめくり動作のアニメーションは、ページがめくられる方向に対応してページの傾斜角度が変更するよう描画された各コマを有してなり、それら各コマを、ページめくりに対応して定められた順序に従って一定時間間隔にて順次表示する形で実施される。
【００４４】
なお、本実施形態においては、図８及び図９に示すように、ページめくり動作のアニメーションの各コマにて、めくられたページ（２２ａ又は２１ｂ）の紙面（２２又は２１）は、斜視図の形で傾斜表現される。ここでは、めくられるページ（２２ａ又は２１ｂ）を有した紙面（２２又は２１）は、上下に延びる左右端縁を、同じく上下に延びる見開き境界線２０Ｓに平行な直線状態を保持しつつ、当該左右端縁の上下両端の角部が上側に凸となる湾曲軌跡を描くように変化する。
【００４５】
また、ページめくり動作のアニメーションは、現在の閲覧ページを含む見開きページが平坦表示された状態から、次の見開きページが平坦表示されるまでの間に１コマ以上有したものとされている。ここでは９ないし１０コマとされている（ただし図面では一部のコマ数を省略して表現している）。そして、各コマは、図８及び図９に示すように、再生される順に、めくられるページ（２２ａ又は２１ｂ）を有した紙面（２２又は２１）の上下端縁を示す直線の傾斜角度が同じ角度ずつ順次変化していく形で描画されている。
【００４６】
さらに、本実施形態において、めくられる紙面（２２又は２１）は、その形状だけでなく、紙面（２２又は２１）内の表示内容も、ページめくり動作のアニメーションの各コマにて、それぞれの傾斜状態を反映した形で傾斜表現される。図８及び図９に示すように、各コマにおいてめくられるページ（２２ａ又は２１ｂ）の紙面（２２又は２１）には、ページ縦幅方向（ここではページ左右端縁の延出方向）の第一軸とページ横幅方向（ここではページ上下端縁の延出方向：ページがめくられるに従い傾斜する）の第二軸とによる平面座標系が設定されており、ページめくり開始時において平坦表示状態であった閲覧ページ（２２ａ又は２１ｂ）のページ画像は、めくられて傾斜状態となると、それぞれの傾斜状態における平面座標系が設定され、ページめくり初期において平坦表示状態であった閲覧ページ（２２ａ又は２１ｂ）のページ画像が座標変換される形で、そのときの傾斜状態を反映したページ画像が、ページ（２２ａ又は２１ｂ）上に傾斜描画される。ただし、めくられるページ（２２ａ又は２１ｂ）の紙面（２２又は２１）が見開き境界をまたいだ後には、めくられるページ（２２ａ又は２１ｂ）の紙面画像（２２又は２１）として当該ページ（２２ａ又は２１ｂ）の裏面ページ（次に閲覧ページとして設定されるページ：２２ｂ又は２１ａ）のページ画像が表示されるようになる。裏面ページ（２２ｂ又は２１ａ）のページ画像は、ページめくり終了時において平坦表示状態で表示される当該裏面ページ（２２ｂ又は２１ａ）のページ画像を、そのときの傾斜状態における平面座標系に座標変換し、そのときの傾斜状態を反映したページ画像として、ページ（２２ｂ又は２１ａ）上に傾斜描画される。
【００４７】
なお、Ｓ６におけるページめくりアニメーションでは、表示される各コマにおいて、傾斜状態の紙面（２２又は２１）上に表示内容が傾斜状態にて表示されるが、こうした紙面（２２又は２１）上の表示内容の傾斜表示を省略して、例えば傾斜状態となった紙面（２２又は２１）は、少なくとも紙面枠のみが表示されるページめくり動作（例えば白紙ページのページめくり動作）として表示するようにしてもよい。さらに、ページめくり動作中には、現在の次の見開きページや次の見開きページの表示内容については全て表示しないようにして、少なくとも紙面枠のみが表示される（例えば白紙ページとする）ように表示してもよい。これらにより処理を大幅に簡易化できる。なお、この場合、Ｓ５とＳ６は順序を入れ替えてもよい。本実施形態では、傾斜状態を反映したページ画像の表示を行うため、Ｓ５にて、事前に次の見開きページのページ画像データを読み出し、Ｓ６にて、現在の見開きページのページ画像データと、Ｓ５で読み出した次の見開きページのページ画像データとを用いる形で、ページめくりアニメーションを表示している。
【００４８】
また、図８及び図９に示すように、ページめくり動作が開始されるに伴い、次の閲覧ページ（２２ｂ又は２１ａ）として設定されるページを含む見開きページ（２５又は２６）の一部領域が出現する。つまり、めくられるページ（２２ａ，２１ｂ）が斜視表示されるに伴い、その裏面ページ（２２ｂ，２１ａ）を含む見開きページ（２５，２６）における該裏面ページ（２２ｂ，２１ａ）に対する見開き逆側のページ（２３ａ，２４ｂ）が、めくられるページ（２２ａ，２１ｂ）がめくられる前の平坦表示状態と同様の表示状態（ただし、めくられるページ（２２ａ，２１ｂ）の紙面（２２，２１）に重ならない領域に限る）にて出現する。そして、ページめくり動作が進行するに伴いその出現面積は増し、めくられるページ（２２ａ，２１ｂ）が見開き境界を越えると（図８及び図９の（ｅ）〜（ｇ））、その裏面ページ（２２ｂ，２１ａ）に対する見開き逆側のページ（２３ａ，２４ｂ）は、常に表示された状態となる。一方、めくられるページ（２２ａ，２１ｂ）が見開き境界を越えると、めくられるページ（２２ａ，２１ｂ）に対する見開き逆側のページ（２１ｂ，２２ａ）の一部が、このめくられるページ（２２ａ，２１ｂ）の紙面（２２，２１）に重なって見えなくなり、なおかつめくられるページ（２２ａ，２１ｂ）の紙面（２２，２１）には、その裏面ページ（２２ｂ，２１ａ）のページ画像が表示される。めくられるページ（２２ａ，２１ｂ）が終了位置に到達すると（図８及び図９の（ｇ））、この見開き逆側のページ（２１ｂ，２２ａ）は完全にめくられるページ（２２ａ，２１ｂ）の紙面２２，２１）と重なって、その裏面ページ（２２ｂ，２１ａ）の全体が平坦表示状態にて表示される。
【００４９】
ただし、上記のようなページめくり動作のアニメーション表示は、あくまで移動中の画面表示領域１１Ｂ内に入っている領域に限り、表示部１１の画面１１Ａに表示される。めくられるページ（２２ａ，２１ｂ）の紙面（２２，２１）全体が常に表示されていなくてもよい。
【００５０】
Ｓ６にて実施される画面表示領域１１Ｂの移動によるスクロール表示は、見開きページ２０のページ画像データ上に設定される画像表示領域１１Ｂを、ページ移動操作前の閲覧ページが、見開きページ２０の第一ページ２０Ａと第二ページ２０Ｂのいずれであるかを特定し、これとは逆側のページに向かうスクロール表示が実施される。本実施形態においては、図８及び図９に示すように、スクロール表示の開始位置（第一表示位置：図８（ａ）及び図９（ａ））と終了位置（第二表示位置：図８（ｇ）及び図９（ｇ））が予め定められており、さらに、スクロール移動軌跡も予め設定されているので、それらの設定に従い画像表示領域１１Ｂを移動する。なお、本実施形態においては、画像表示領域１１Ｂの移動途中において、必ず上記アニメーションにより表現されているページめくり動作中のページが、当該画像表示領域１１Ｂ内に入るように移動するようになっている。
【００５１】
なお、ここでのスクロール移動軌跡は、図８及び図９に示すように、スクロール表示の開始位置（第一表示位置：図４（ａ）の場合は左ページ表示領域、図４（ｂ）の場合は右ページ表示領域）から終了位置（第二表示位置：図４（ａ）の場合は右ページ表示領域、図４（ｂ）の場合は左ページ表示領域）まで直線的に定められており、シンプルなスクロール表示が実施されている。さらに、本実施形態の画像表示領域１１Ｂは、めくられるページ（２２ａ，２１ｂ）の全てが必ず含まれるように設定されておらず、めくられるページ（２２ａ，２１ｂ）の傾斜状態次第では、めくられるページ（２２ａ，２１ｂ）の一部が領域外にはみ出るように定められている。図８及び図９の場合、閲覧表示状態（平坦表示状態）の閲覧ページ（２２ａ，２１ｂ）が画像表示領域１１Ｂの中央にて、周囲にわずかな余白領域を有する形で表示されており、この余白領域にて、めくられるページ（２２ａ，２１ｂ）のページめくりアニメーションが表示されるようになっており、画面描画処理が単純化されている。
【００５２】
また、このスクロール表示も、ページめくり動作のアニメーションと同様、スクロール方向に対応して順序が定められた複数のコマを、当該順序に従い一定時間間隔にて順次表示するようになっている。ここでは、各コマに対応する画像表示領域１１Ｂの位置は、スクロール表示の開始位置（第一表示位置）から終了位置（第二表示位置）までの間に等間隔おきに設定されている。また、ここでは、ページめくり動作のアニメーションのコマ数と、前記スクロール表示に使用するコマ数とを同一に定められている。
【００５３】
なお、本実施形態においては、スクロール表示による画面表示領域１１Ｂの移動と、アニメーション表示されるページめくり動作とが連動する形で画面表示されるように構成されている。具体的にいえば、図８及び図９に示すように、スクロール表示による画面表示領域１１Ｂの移動は、移動した先々にて必ずめくられるページ（２２ａ，２１ｂ）の少なくとも一部を領域内に含むように設定されている。さらにいえば、スクロール表示による画面表示領域１１Ｂの移動が、ページめくり動作のアニメーションにおいてめくられる形で表現されるページ（２２ａ，２１ｂ）の移動に対し先行する形で、終了位置（第二表示位置）に向けて移動するようになっている。図８及び図９においては、ページめくり途中である図中の（ｅ）の段階で既に、画面表示領域１１Ｂが終了位置（第二表示位置）に達しており、移動を終えている。
【００５４】
他方、Ｓ４にてページめくりが無いと判定された場合には、Ｓ９に進む。Ｓ９では、ＣＰＵが、表示部１１に対し、見開きページデータ上に設定される画面表示領域１１Ｂを、現在の閲覧ページが全体表示されている第一表示領域から、当該閲覧ページに対する見開きの逆側のページに向けて移動し、当該逆側のページ領域が全体表示される第二表示位置に移動するスクロール表示を行う（ページ切替表示手段）。ただし、Ｓ９では、Ｓ６のようなページめくり動作のアニメーションは実施されず、図６及び図７に示すように、現在の見開きページ（２０）上にて、画像表示領域１１Ｂが現在の閲覧ページ（２２ａ，２１ｂ）から、当該閲覧ページ（２２ａ，２１ｂ）の見開き逆側のページ（２１ｂ，２２ａ）に移動するのみである。つまり、ページめくり動作は生じず、単純に視点が見開きの逆側のページに移動するだけの処理となる。
【００５５】
Ｓ６及びＳ９にて実施されたページ切替処理が終了すると、Ｓ７に進む。Ｓ７では、ＣＰＵが、Ｓ５で読み出したデータに基づいて、これまでとは逆の見開きのページ側にて、次の閲覧ページの表示を実施する。つまり、Ｓ６及びＳ９のスクロール表示における終了位置（第二表示位置）にて画面表示領域１１Ｂが位置した状態となり、当該画面表示領域１１Ｂ内において、次の閲覧ページのみが全体表示され、見開きの他方のページが全体表示されない形で表示がなされる。なお、この後に新たに隣接ページへのページ切替操作がなされた場合には、現在の画面表示領域１１Ｂの位置が新たなスクロール表示の開始位置（第一表示位置）として設定されることになる。
【００５６】
Ｓ８では、本実施形態のブック型デジタルコンテンツの閲覧を終了する操作がなされたか否かを判定する。本実施形態においては、テンキー右上に設けられたＯＮ／ＯＦＦボタン１５ａへの操作により、閲覧終了するものとする。閲覧終了操作が無い場合はＳ２に戻り、閲覧終了操作があった場合には本処理を終了する。
【００５７】
また、本実施形態のデジタルコンテンツにおいては、図１７に示すように、ページ拡大機能を有している。
【００５８】
図１６はページ拡大処理の一例であり、以下、当該処理について説明する。
【００５９】
Ｓ５０では、ＣＰＵが拡大操作の有無を判定する。本実施形態における拡大操作の有無は、拡大操作部をなすテンキー入力部１５Ｔの「５」への操作の有無に基づいて判定する。拡大操作があった場合には、Ｓ５１にて、拡大表示を実施し、無ければ本処理を終了する。本実施形態においては、拡大表示の初期位置として、閲覧ページの中央部が設定されている。
【００６０】
Ｓ５２では、拡大表示位置を移動する操作の有無を判定する。拡大表示位置を移動する操作は、拡大表示用の画像データ上にて、拡大表示領域１１Ｃをスクロールする操作であり、当該拡大表示領域１１Ｃ内に含まれるページ画像が画面１１Ａにて表示される。本実施形態においては、拡大表示領域１１Ｃを移動するための操作部として、テンキー入力部１５Ｔのうち「４」、「６」、「２」、「８」が定められているので、これら操作部への操作の有無を判定する。拡大表示位置を移動する操作がなければＳ５５に進み、拡大表示位置を移動するがあった場合には、Ｓ５３にて、当該操作に対応する方向への拡大表示領域１１Ｃのスクロール移動がなされ、画面１１Ａ上に表示される拡大位置が移動する。
【００６１】
ただし、続くＳ５４にて、拡大表示用の画像データ上にてスクロール移動した拡大表示領域１１Ｃが予め定められた移動限界位置に達したか否かを判定する。移動限界位置に達していない場合には操作に基づくスクロール表示を継続して、移動限界位置に達してた場合には直ちにスクロールを停止し、それを越える拡大表示領域１１Ｃの移動を禁ずる。
【００６２】
なお、移動限界位置は、見開きページ２０のページ枠として定め、見開きページ以外の領域での拡大を禁ずるようにしてもよいが、本実施形態においては、見開きページ２０の第一ページ２０Ａと第二ページ２０Ｂのうち閲覧ページとして設定されているページのページ枠として定められている。つまり、図１８に示すように、閲覧ページの上端縁２０Ｐ２、下端縁２０Ｐ３、左右端縁２０Ｐ１、見開き境界２０Ｓが移動限界位置と定められ、拡大表示領域１１Ｃは、これらの内部にて移動可能とされている。
【００６３】
Ｓ５５では、ＣＰＵが拡大表示の解除操作の有無を判定する。本実施形態における拡大表示の解除操作の有無は、拡大解除操作部をなすテンキー入力部１５Ｔの「０」への操作の有無に基づいて判定する。拡大表示の解除操作があった場合には、現在実施中の拡大表示を解除して本処理を終了し、拡大表示の解除操作がなければＳ５２に戻る。なお、本処理は、所定周期にて繰り返し実施されるものである。
【００６４】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【００６５】
上記実施形態においては、図５のＳ２〜Ｓ７及びＳ９に示すページ切替処理については、ページ切替操作（上記実施形態では隣接ページ切替操作）がなされると、Ｓ６及びＳ９のスクロール表示ないしアニメーション表示が完了しない限りは、次のページ切替操作が開始できない処理となっている。
【００６６】
ところが、隣接ページ切替操作を連続して行った場合のスクロール表示は、画面表示領域１１Ｂが開始位置（第一表示位置）から終了位置（第二表示位置）に向かう形で始まった後、最終的には、開始位置（第一表示位置）に再び戻る場合がある。この場合、途中でスクロール方向を逆向きに折り返す処理とすれば、スクロール表示時間を短縮することが可能である。仮に、隣接ページ切替操作がページめくり動作のアニメーションを伴うページめくり操作であった場合には、アニメーション表示は継続した状態で、スクロールする画面表示領域１１Ｂのみを逆方向に移動させるようにする。この構成によると、少なくともめくられるページが見開き境界線２０Ｓを越えれば、２連続の隣接ページ切替操作によって次の閲覧ページに指定されたページを平坦表示状態にて閲覧することが可能となる。
【００６７】
上記処理は、図５のＳ２〜Ｓ７及びＳ９の処理を、図１０の処理を実施する形で実現できる。
【００６８】
まず、Ｓ１０にて、隣接ページ切替操作の有無を判定する。隣接ページ切替操作があった場合にはＳ１１に進み、新たな閲覧ページとそれを含む見開きページを特定する。続くＳ１２では、Ｓ１０での隣接ページ切替操作においてページめくりが生ずるか否かを判定し、ページめくりがある場合にはＳ１６に進み、ページめくりが無い場合にはＳ１３に進む。これらはＳ２〜Ｓ４と同様の処理である。
【００６９】
Ｓ１３では、画面表示領域１１Ｂのスクロールを開始する。これは、上記実施形態のＳ９と同様の処理である。ただし、画面表示領域１１Ｂのスクロール中に、Ｓ１０でなされた隣接ページ切替操作とは逆方向へ隣接ページ切替操作がなされた場合には（Ｓ１４：Yes）、当該操作がなされた段階で、画面表示領域１１Ｂのスクロール方向を逆向きに切り替え（Ｓ１５）、画像表示領域１１Ｂをもとのスクロール開始位置に向けて移動させる。即ち、図６及び図７の（ａ）から始まる画面表示領域１１Ｂのスクロール移動中に、逆方向への隣接ページ切替操作がなされた場合には、当該操作がなされた段階から、画面表示領域１１Ｂを図６及び図７の（ａ）に戻すスクロール移動が始まる。
【００７０】
Ｓ１６では、新たに特定された見開きページのページ画像データ（見開き両ページのそれぞれのページ画像データ）を読み出し、続くＳ１７にて、画面表示領域１１Ｂのスクロールとページめくり動作のアニメーションを開始する。これらは、上記実施形態のＳ５及びＳ６と同様の処理である。ただし、画面表示領域１１Ｂのスクロールとページめくりアニメーションの実施中に、Ｓ１０でなされた隣接ページ切替操作と同方向へ隣接ページ切替操作がなされた場合には（Ｓ１８：Yes）、図１１に示すように、当該操作がなされた段階で、画面表示領域１１Ｂのスクロール方向を逆向きに切り替え、当該画像表示領域１１Ｂをもとのスクロール開始位置に向けて移動させる（Ｓ２０）。ただし、ページめくりアニメーションは継続する。一方、画面表示領域１１Ｂのスクロールとページめくりアニメーションの実施中に、Ｓ１０でなされた隣接ページ切替操作と逆方向へ隣接ページ切替操作がなされた場合には（Ｓ１９：Yes）、図１４に示すように、当該操作がなされた段階で画面表示領域１１Ｂのスクロール方向を逆向きに切り替え、当該画像表示領域１１Ｂをもとのスクロール開始位置に戻す（Ｓ２１）。このとき、実施中のページめくりアニメーションは、当該操作がなされた段階でコマを逆戻しするアニメーションに変更される形で継続する（Ｓ２１）。
【００７１】
Ｓ２２にて、実施中の画面表示領域１１Ｂのスクロールとページめくりアニメーションが終了したと判定された場合には本処理を終了する。なお、図１１及び図１４は、一方へのページ切替のみを図示しているが、当然この逆方向へのページ切替においても同様の処理を実施する。
【００７２】
また、上記した図１０の処理は、隣接ページ切替操作を２連続まで可能とし、それ以上の連続操作には対応していない。図１２は、隣接ページ切替操作の更なる連続操作に対応した処理である。
【００７３】
まず、Ｓ３０にて、隣接ページ切替操作の有無を判定する。隣接ページ切替操作があった場合にはＳ３１に進み、新たな閲覧ページとそれを含む見開きページを特定する。Ｓ３２では、Ｓ３０での隣接ページ切替操作においてページめくりが生ずるか否かを判定し、ページめくりがある場合にはＳ３６に進み、ページめくりが無い場合にはＳ３３に進む。これらはＳ２〜Ｓ４と同様の処理である。
【００７４】
Ｓ３３では、画面表示領域１１Ｂがスクロール中であるか否かを判定する。スクロール中でなければＳ３４にてスクロールを開始する。スクロール中であれば、Ｓ３５にて、この段階でスクロール方向を反転した上で、スクロールを再開する。
【００７５】
Ｓ３６では、新たに特定された見開きページのページ画像データ（見開き両ページのそれぞれのページ画像データ）を読み出し、続くＳ３７にて、ページめくりアニメーションが実施中であるか否かを判定する。
【００７６】
Ｓ３７にて、ページめくりアニメーションが実施中であればＳ３７に進む。Ｓ３８では、Ｓ３０でなされた隣接ページ切替操作が、最新ページ（最も最近にめくられたページ）のページめくり方向と同方向へのページ移動操作であるか否かを判定する。同方向である場合（Ｓ３８：Yes）、即ち図１３（ｂ）のような状況の場合は、Ｓ３９にて、図１３の（ｃ）→（ｇ）に示すように、この段階で画面表示領域１１Ｂのスクロール方向を反転して逆向きに切り替える一方で、現在実施中のページめくり動作に追加する形で、新たなページのページめくり動作を開始する。つまり、複数枚の紙面によるページめくりが、時間差をおいて同時進行する形のページめくりアニメーションが実施される。逆に、Ｓ３８にて、Ｓ３０でなされた隣接ページ切替操作が、最新ページ（最も最近にめくられたページ）のページめくり方向と逆方向へのページ移動操作であると判定された場合には（Ｓ３８：No）、Ｓ４３にて、図１４に示すように、この段階で画面表示領域１１Ｂのスクロール方向を反転して逆向きに切り替えるとともに、実施中のページめくりアニメーションにおける最新ページ（最も最近にめくられたページ）に係るアニメーションを、当該段階からコマを逆戻しする形で再開する。
【００７７】
他方、Ｓ３７にて、ページめくりアニメーションが実施中でなければＳ４０に進む。Ｓ４０では、画面表示領域１１Ｂがスクロール中であるか否かを判定する。画面表示領域１１Ｂがスクロール中でなければＳ４２にて、当該画面表示領域１１Ｂを見開き逆側に移動させるスクロールを開始するとともに、現在閲覧ページと定められているページをめくる新規のページめくりアニメーションを開始する。画面表示領域１１Ｂがスクロール中であれば、Ｓ４１にて、この段階で当該画面表示領域１１Ｂのスクロール方向を反転して逆向きに切り替えるとともに、現在閲覧ページと定められているページをめくる新規のページめくりアニメーションを開始する。
【００７８】
Ｓ４４では、ページめくりアニメーション及び画面表示領域１１Ｂのスクロールが終了したか否かを判定する。終了した場合には、本処理を終了し、終了していない場合にはＳ３０に戻る。なお、図１２の処理は所定間隔おきに繰り返し実施されるものとする。
【００７９】
ところで、本発明におけるブック型デジタルコンテンツは、小説やカタログ等とすることができるが、図１５に示すように、見開きページ（２０’）の両ページ（２１ｂ’、２２ａ’）にて決められた枠２０ｋ内に絵と台詞を描画してなる漫画であってもよい。枠２０ｋ毎に絵や台詞が拡大表示されるよりも、本発明のように、ページが全体表示される表示形式のほうが、前後のストーリーが把握できる分、読み進め易い。
【００８０】
また、上記実施形態においては、画面１１Ａ内に全体表示された閲覧ページを拡大表示することができる。さらに、閲覧ページの拡大表示状態において、画面表示されている表示領域を移動することもできる。このような拡大表示機能を備える場合は、閲覧ページの拡大表示状態（ズームイン状態）において、図１９に示すように、隣接ページ切替操作がなされた場合に、現在表示中の閲覧ページが当該閲覧ページの隣接ページに切り替わるに際して、拡大表示状態にある該閲覧ページを少なくとも当該閲覧ページ全体が表示されるように縮小表示（ズームアウト）した上で（例えば拡大前の通常表示に戻した上で）、スクロール表示（画面表示領域を第一表示領域から第二表示領域に移動する）を開始するようにすることもできる。また、このとき、図２０に示すように、第二表示領域に移動した後に、直前に拡大されていた画面表示領域における拡大領域と同一の領域を拡大する（ズームイン）ようにしてもよい。一方で、このような拡大表示機能を備える場合は、閲覧ページの拡大表示状態において、拡大表示されている閲覧ページを含む見開きページとは異なるページへのページ切り替えを禁止するようにしてもよい。
【００８１】
上記実施形態のようなページ切替表示は、左右の見開きページを有したブック型デジタルコンテンツを表示する際に、その表示画面が、左右幅が上下幅よりも短い縦長画面であるときに効果的である。一般的なブック型コンテンツは左右の見開きタイプが多く存在するのに対し、一般的な携帯電話は、受話器から送話器に向かう長さ方向に延びる縦長の形態を有し、画面もまた同様に当該長さ方向に上下方向を有した縦長画面を有する。このため、左右の画面幅が狭く、見開きの両ページを同時表示するのは困難であったが、上記実施形態のようなページ切替表示を採用することにより、見開きの各ページの全体が見易くなる。逆に、上下の見開きページを有したブック型デジタルコンテンツを表示する場合であれば、左右幅の方が上下幅よりも長い横長画面であると、本発明のページ切替表示は効果的である。例えば、画面向きを切り替える手段を有した携帯電話機などに適用できる。
【符号の説明】
【００８２】
１  デジタルコンテンツ表示装置
１０  制御部
１１  表示部
１１Ａ  画面
１１Ｂ  画面表示領域
１３  記憶部
１５  操作部
１５Ｔ  テンキー入力部
２０  見開きページ
２０Ａ  見開きの第一ページ
２０Ｂ  見開きの第二ページ
【図１】
2010277456.tif 000003
【図２】
2010277456.tif 000004
【図３】
2010277456.tif 000005
【図４】
2010277456.tif 000006
【図５】
2010277456.tif 000007
【図６】
2010277456.tif 000008
【図７】
2010277456.tif 000009
【図８】
2010277456.tif 000010
【図９】
2010277456.tif 000011
【図１０】
2010277456.tif 000012
【図１１】
2010277456.tif 000013
【図１２】
2010277456.tif 000014
【図１３】
2010277456.tif 000015
【図１４】
2010277456.tif 000016
【図１５】
2010277456.tif 000017
【図１６】
2010277456.tif 000018
【図１７】
2010277456.tif 000019
【図１８】
2010277456.tif 000020
【図１９】
2010277456.tif 000021
【図２０】
2010277456.tif 000022